(57)【要約】 【課題】  「ゴキブリ・虫類を間近にみるのも、触るのも大嫌いだ。」という人にとって、捕まえたゴキブリ・虫類を捨てるという行為は、精神的に多大な労力を要するものであった。  掃除機で吸った場合、ゴミパックを片づける際、中でしぶとく生きている場合もあった。また、ゴキブリ・虫類は非常に不衛生であり、その処理方法によっては別の衛生面での問題を派生させる恐れがあった。                                                      【解決手段】  容器の口元の周り３カ所に取り付けたクリップＡ・Ｂ・Ｃで、ビニール袋の口をずれないように固定する。付属のヘラを用いてゴキブリ・虫類を袋に収納する。クリップを解除して輪ゴムをずらすと、外れた輪ゴムが瞬時に袋の口元を締める。袋が容器にかくれているため、大嫌いな中身を見ずにすむ。また、容器ごと捨てる場所まで移動するので、収納後の袋に触れる事無く衛生的である。  【選択図】図２
0003119951.tif 000002
【実用新案登録請求の範囲】
【請求項１】
虫類を収納する際、蓋のない容器内にセットしたビニール袋がずれないためのクリップを数カ所取り付ける
【請求項２】
容器側面の取っ手は、支持の安定性・収納の利点から蝶番で取り付ける。
【考案の詳細な説明】
【技術分野】
【０００１】
本考案は、市販されている薬剤「白元：ゴキパオ」使用後の「繭玉」をはじめ、捕まえたいろいろな虫を簡易な動作で速やかに、且つ衛生的に処分するための器具に関する。
【背景技術】
【０００２】
従来、捕まえたゴキブリ・虫類を捨てる技術としては、以下の方法が用いられてきた。
１．素手で持ち、捨てる。      ２．ティッシュ等で包み、手で持ち、捨てる。
３．割り箸等でつまんで捨てる。４．箒・ちり取りなどを使って捨てる。
５．１〜４までのものを、更にビニール袋等に入れてから捨てる。                 
６．掃除機で吸い取ってしまう。
【考案の開示】
【考案が解決しようとする課題】
【０００３】
背景技術に書いた１項〜５項までの場合、「ゴキブリ・虫類を間近に見るのも、触るのも大嫌いだ」という人にとっては、「捕まえたゴキブリ・虫類を捨てる」という行為は精神的に多大な労力を要するものであった。６項のように掃除機で吸った場合、ゴミパックを片づける際、中でしぶとく生きている場合もあった。また、衛生面から言っても、ゴキブリ・虫類は非常に不衛生であり、その処理方法によっては別の衛生面での問題を派生させる恐れがあった。
【課題を解決するための手段】
【０００４】
蓋のない角が取れた容器を横に倒した状態で使用する。口の部分（ア）に二重にした輪ゴムをかけておく。（ア）の周り３カ所に取り付けておいたクリップＡ・Ｂ・Ｃで、容器に入れたビニール袋の口をずれないように固定する。
また、容器の（イ）の部分に蝶番で取っ手を取付ける。容器に接触する底面（ウ）をある程度面積をもった四角形にすることで、取っ手を起こした際に容器を安定した状態で支持するようになる。付属のヘラを用いてビニール袋に収納し、クリップを解除して輪ゴムをずらすと自動的に口元が締まる。容器ごと捨てる場所まで移動するので、中身を見ずに済む。こうして捕まえたゴキブリ・虫類を手を汚すことなく処分することが出来る。
【考案の効果】
【０００５】
１．本考案ではビニール袋の口元を従来のように手で拡げておかなくて済む。
２．本考案ではゴキブリ・虫・ゴキブリ捕獲後の繭玉などを移動させる事即ち袋に処分する事を意味する。簡易な動作で且つ速やかに、「白元：ゴキパオ」のアクリル樹脂が床面・壁面に付着し固まる前に処理することが可能になる。
３．袋に収納した後、セット済みの輪ゴムで素早く口元を締め、虫類が生きていた場合や捕獲後生き返った場合でも問題が生じない。
４．専用器具のため、保管場所等に考慮すれば、手を汚さないなど衛生的である。
５．市販のビニール袋・輪ゴム等を使用するため経済的である。
【考案を実施するための最良の形態】
【０００６】
この考案の一実施形態を、図１に示す。
容器の口元はビニール袋を裂かないように角を取った形態になり、その側面は床面や壁面に密着させるために平面とする。
【実施例】
【０００７】
１．ゴキパオで捕獲後の繭玉は、中身が出にくいようにティッシュペーパー１〜２枚を
かぶせてから始める。                                                              ２．容器の口元（ア）とクリップとの間に、輪ゴムを二重にしてかけておく。          ３．容器内にビニール袋を入れて、その口元を折り返す。ずれないようにクリップＡ・Ｂ・Ｃで止める。                                                                  ４．取っ手を起こしこれ以上動かないという所でとめる。付属のヘラでゴキブリ・虫・ゴキパオの繭玉等を容器内のビニールへ入れる。                                      ５．クリップを全て外し、袋の折り返しをヘラで伸ばし、かけておいた輪ゴムをクリップと反対側へずらす。容器の端を過ぎた時点で、ゴムは外れて、瞬時に袋の口元を締めることになる。                                                                      ６．取っ手を持ち、容器ごと捨てる場所まで移動するため、中身が見えず、衛生的に処分することが出来る。                                                          
【０００８】
「他の実施形態」
図１の実施形態ではヘラで袋内に収納したが、他の実施形態では対象物をトングの様な器具で挟んで収納する方法でも良い。
【図面の簡単な説明】
【０００９】
【図１】この考案の一実施形態を示す前方斜視図である。
【図２】この考案の一実施形態を示す後方斜視図である。
【符号の説明】
【００１０】
１  容器本体    ２  取っ手    ３ヘラ
ア  容器の口    イ  取っ手の取付位置    ウ  輪ゴムをセットする位置
Ａ・Ｂ・Ｃ
【図１】
0003119951.tif 000003
【図２】
0003119951.tif 000004
【手続補正書】
【提出日】平成16年4月28日(2004.4.28)
【手続補正１】
【補正対象書類名】実用新案登録請求の範囲
【補正対象項目名】全文
【補正方法】変更
【補正の内容】
【実用新案登録請求の範囲】
【請求項１】
蓋のない容器内にセットしたビニール袋がずれないようにするためのクリップが、数ヵ所に付いたゴキブリ・虫類を収納するための容器。
【請求項２】
支持の安定性・収納の利点から蝶番で取付けられた、容器側面の取っ手。
【手続補正書】
【提出日】平成16年4月28日(2004.4.28)
【手続補正１】
【補正対象書類名】実用新案登録請求の範囲
【補正対象項目名】全文
【補正方法】変更
【補正の内容】
【実用新案登録請求の範囲】
【請求項１】
蓋のない容器内にセットしたビニール袋がずれないようにするためのクリップが、数カ所に付いたゴキブリ・虫類を収納するための容器。
【請求項２】
支持の安定性・収納の利点から蝶番で取付けられた、容器側面の取っ手。
【手続補正書】
【提出日】平成16年9月10日(2004.9.10)
【手続補正１】
【補正対象書類名】実用新案登録請求の範囲
【補正対象項目名】全文
【補正方法】変更
【補正の内容】
【実用新案登録請求の範囲】
【請求項１】
・クリップは上下に開くように置いた状態で使用し、その形状を開                      口部側から見た場合、横幅と奥行きはほぼ同じく、閉じた状態で
は平たい箱の様である。クリップ上蓋と下部との違いは、上蓋の                      方がをひっかけられる程度、横幅が大きい。
・クリップ上蓋の表面上、開口部側から見て左右奥２箇所に、そ
の部分での厚みと同じ深さ、縦穴が空いている。  
そこにアルファベットのＵを逆にした形の金具を通し、クリップ                      下部に金具の先端２本を刺すように固定する。  但し、この時の                      金具の垂直部分は、クリップの上蓋が垂直に可動し、クリップ下                      部との間にビニールを挟めるよう、充分な隙間を作るための長さ                      を必要とする。                                            
・開口部が左になるように置いて、クリップを横から見た断面では                      その切り口に台形がひとつ置きに並んでいる。                                      クリップ上蓋左端には台形が逆さまに出っ張り、その右隣はクリ                      ップ下部から台形が上向きに出っ張っている具合である。      
そして左上から右下にかけて斜めに下るように並んでいる。
この断面が台形の突起物は、クリップの開口部に対して平行に並                      び、横幅と同じ長さを持ち、逆Ｕ字型の金具手前まで続く。         
・開口部が左になるように置いて、クリップを横から見た断面での
クリップ上下の関係について。逆Ｕ字金物の右側において、上蓋                      が下部を覆うように鉤括弧を右に９０゜回転させた形状をしてい                      る。クリップ上蓋とクリップ下部が接している垂直部分において                      引っかかるように、上蓋側には半球状の突起物が有り、下部側に                      はそれに対応する窪みがある。
【手続補正書】
【提出日】平成17年2月18日(2005.2.18)
【手続補正１】
【補正対象書類名】実用新案登録請求の範囲
【補正対象項目名】全文
【補正方法】変更
【補正の内容】
【実用新案登録請求の範囲】
【請求項１】
ビニール袋等の滑り易いものを挟む器具において、
（１）真上から見た場合、挟む部分である開口部の反対側に２箇所の縦穴があり、            側面から見て、重なる上下の上部分が垂直に可動するように、逆Ｕ字形の金具          がこの縦穴を通って下部に垂直に固定されている
（３）上下の接するそれぞれの面には、断面が台形になる突起物が開口部分に平行に          並ぶ
（４）側面から見た場合、突起物の断面である台形が、上部と下部で噛み合うように
交互に上下逆向きに並んでいる
（５）側面に見える台形は、開口部から逆Ｕ字形の金具手前まで斜め下になるように          並んでいる
（６）上部は、開口部の反対側でカギ型に曲がって下部を覆っている
（７）上部のカギ型の垂直部には、内側に半球状の突起物が有り、対する下部の外側          には半球状の突起物が納まる窪みがある
以上からなる『クリップ』。
【手続補正書】
【提出日】平成17年7月15日(2005.7.15)
【手続補正１】
【補正対象書類名】明細書
【補正対象項目名】０００１
【補正方法】変更
【補正の内容】
【０００１】本考案は、市販されている薬剤「白元（登録商標）：ゴキパオ（登録商標）」使用後の「繭玉」をはじめ、捕まえたいろいろな虫を簡易な動作で速やかに、且つ衛生的に処分するための器具に関する。
【手続補正２】
【補正対象書類名】明細書
【補正対象項目名】０００５
【補正方法】変更
【補正の内容】
【０００５】２．本考案ではゴキブリ・虫・ゴキブリ捕獲後の繭玉などを移動させる事即ち袋に処分する事を意味する。簡易な動作で且つ速やかに「白元（登録商標）：ゴキパオ（登録商標）」のアクリル樹脂が床面・壁面に付着し固まる前に処理することが可能になる。
【手続補正３】
【補正対象書類名】明細書
【補正対象項目名】０００７
【補正方法】変更
【補正の内容】
【０００７】    １．ゴキパオ（登録商標）で捕獲後の繭玉は、中身が出にくいようにティッシュペーパー１〜２枚をかぶせてから始める。
【手続補正書】
【提出日】平成17年11月7日(2005.11.7)
【手続補正１】
【補正対象書類名】手続補正書
【補正対象項目名】手続補正２
【補正方法】変更
【補正の内容】
【手続補正２】
【補正対象書類名】明細書
【補正対象項目名】０００５
【補正方法】変更
【補正の内容】
【０００５】１．本考案ではビニール袋の口元を従来のように手で拡げておかなくて済む。
２．本考案ではゴキブリ・虫・ゴキブリ捕獲後の繭玉などを異動させる事即ち袋に処分する事を意味する。簡易な動作で且つ速やかに「白元（登録商標）：ゴキパオ（登録商標）」のアクリル樹脂が床面・壁面に付着し固まる前に処理することが可能になる。
３．袋に収納した後、セット済みの輪ゴムで素早く口元を締め、虫類が生きていた場合や捕獲後生き返った場合でも問題が生じない。
４．専用器具のため、保管場所等に考慮すれば、手を汚さないなど衛生的である。
５．市販のビニール袋・輪ゴム等を使用するため経済的である。


【手続補正２】
【補正対象書類名】手続補正書
【補正対象項目名】手続補正３
【補正方法】変更
【補正の内容】
【手続補正３】
【補正対象書類名】明細書
【補正対象項目名】０００７
【補正方法】変更
【補正の内容】
【０００７】１．ゴキパオ（登録商標）で捕獲後の繭玉は、中身が出にくいようにティッシュペーパー１〜２枚をかぶせてから始める。
２．容器の口元（ア）とクリップとの間に輪ゴムを二重にしてかけておく。
３．容器内にビニール袋を入れて、その口元を折り返す。ずれないようにクリップＡ・Ｂ・Ｃで止める。
４．取っ手を起こしこれ以上動かないという所でとめる。付属のヘラでゴキブリ・虫・ゴキパオ（登録商標）の繭玉等を容器内のビニールへ入れる。
５．クリップを全て外し、袋の折り返しをヘラで伸ばし、かけておいた輪ゴムをクリップと反対側へずらす。容器の端を過ぎた時点で、ゴムは外れて、瞬時に袋の口元を締めることになる。
５．取っ手を持ち、容器ごと捨てる場所まで移動するため、中身が見えず、衛生的に処分することが出来る。